(57)【要約】  本発明は、互いに異なる波長範囲を有し、選択された光を提供する複数個の光源手段と、光源手段から照射される光を光ガイドの入射方向で結合させる光経路結合手段と、光経路結合手段と共に単一ケースに装着され、照射される光を波長によって選別して透過させるフィルタリング手段と、診断部位に光を伝達する光ガイドと、光源手段の光源種類を選択して光源装置の選択条件を変更し、リモートコントロール装置により遠距離制御が可能となるように設置された開閉手段であるスイッチ装置とを備える蛍光診断および光線力学治療のための光源装置を開示している。従って、診断部位の蛍光診断過程での誤差を引き起こす要素を排除し、構成を単純化させることができる。更に、蛍光診断および光線力学治療のための光源装置は、励起光領域で、合わせた光源から放射される光を合わせて十分な光強度を提供することにより、照明品質を向上させ、診断の正確性を高めると共に、治療効果を高めることができる。【選択図】  図１
2009513230.tif 000002
【特許請求の範囲】
【請求項１】
互いに異なる波長範囲を有し、選択された光を提供する複数個の光源手段と、
前記光源手段から照射される光を光ガイドの入射方向で結合させる光経路結合手段と、
前記光経路結合手段と共に単一ケースに装着され、照射される光を波長によって選別して透過させる第１フィルタリング手段と、
診断部位に光を伝達する前記光ガイドと、
前記光源手段の光源種類を選択して光源装置の選択条件を変更し、リモートコントロール装置により遠距離制御が可能となるように設置された開閉手段であるスイッチ装置と、
を備えることを特徴とする、蛍光診断および光線力学治療のための光源装置。
【請求項２】
前記光経路結合手段と光ガイドとの間に、迅速に交換することができるように光の経路上に設置され、光線力学治療過程を行うために選択された、光線力学治療用フィルターである第２フィルタリング手段を更に備えることを特徴とする、請求項１記載の蛍光診断および光線力学治療のための光源装置。
【請求項３】
励起光を提供する励起光源と、
前記励起光源から照射される光を波長によって選択的に透過させる励起フィルターと、
前記励起光の経路に位置した光学素子を輻射熱による破壊から防止するために、前記励起フィルターの前方に設置される熱防止フィルターと、
診断部位に光を伝達する光ガイドと、
を備えることを特徴とする、蛍光診断および光線力学治療のための光源装置。
【請求項４】
前記光源手段は、スペクトルの短波長範囲で主たる光を照射する励起光源と、スペクトルの長波長範囲で主たる光を照射する長波長光源であることを特徴とする、請求項１記載の蛍光診断および光線力学治療のための光源装置。
【請求項５】
前記励起光源は水銀ランプであることを特徴とする、請求項３または４記載の蛍光診断および光線力学治療のための光源装置。
【請求項６】
前記長波長光源は、ハロゲンランプ、発光ダイオード、キセノンランプおよび金属ハロゲン化物ランプの中から選択されるいずれか一つであることを特徴とする、請求項４記載の蛍光診断および光線力学治療のための光源装置。
【請求項７】
前記光経路結合手段は、前記励起光源から放射される励起光を透過させると同時に、前記長波長光源から放射する光を反射させ、前期光ガイドの入射方向で共に結合させるダイクロイックミラーであることを特徴とする、請求項１または２記載の蛍光診断および光線力学治療のための光源装置。
【請求項８】
前記ダイクロイックミラーは、ニキビ形態の皮膚疾患から発生する自己蛍光観察のために、前記励起光の短波長範囲である４６０ｎｍ以下の光スペクトル範囲で高い光透過率を有することを特徴とする、請求項７記載の蛍光診断および光線力学治療のための光源装置。
【請求項９】
前記ダイクロイックミラーは、悪性腫瘍から生成される誘導蛍光観察のために、前記励起光の短波長範囲である５６０ｎｍ以下の光スペクトル範囲で高い光透過率を有することを特徴とする、請求項７記載の蛍光診断および光線力学治療のための光源装置。
【請求項１０】
前記ダイクロイックミラーは、前記励起光源と前記長波長光源から各々照射される入射光が、その入射面に４５°で入射されるように設置されることを特徴とする、請求項７記載の蛍光診断および光線力学治療のための光源装置。
【請求項１１】
前記第１フィルタリング手段は、前記励起光源と前記光経路結合手段との間に設置され、励起光のみを透過させる励起フィルターと、
前記励起光の経路に位置した光学素子を輻射熱による破壊から防止するために、前記励起フィルターの前方に設置される熱防止フィルターと、
前記長波長光源と前記光経路結合手段との間に設置され、白色光条件で診断部位の映像を撮影するためのテレビカメラに映像品質を低下させる近赤外線放出光を遮断する近赤外線遮蔽フィルターと、
を備えることを特徴とする、請求項６記載の蛍光診断および光線力学治療のための光源装置。
【請求項１２】
前記励起フィルターは、自己蛍光観察のために透過波長帯を３８０〜４６０ｎｍに設定されることを特徴とする、請求項３または１１記載の蛍光診断および光線力学治療のための光源装置。
【請求項１３】
前記励起フィルターは、誘導蛍光観察のために透過波長帯を３８０〜５６０ｎｍに設定されることを特徴とする、請求項３または１１記載の蛍光診断および光線力学治療のための光源装置。
【請求項１４】
前記近赤外線遮蔽フィルターは、近赤外線放出光を遮断するために７４０ｎｍ以上の光を遮蔽することを特徴とする、請求項１１記載の蛍光診断および光線力学治療のための光源装置。
【請求項１５】
前記光経路結合手段および前記第１フィルタリング手段は、交換ブロックである単一ケースに設置されることを特徴とする、請求項１記載の蛍光診断および光線力学治療のための光源装置。
【請求項１６】
前記光線力学治療用フィルターは、回転するディスク装置に具備されたプラットホームで交換されるように設置されることを特徴とする、請求項２記載の蛍光診断および光線力学治療のための光源装置。
【請求項１７】
前記光線力学治療用フィルターは、３８０〜６６０ｎｍのスペクトル範囲で高い光透過性を有することを特徴とする、請求項２または１６記載の蛍光診断および光線力学治療のための光源装置。
【請求項１８】
前記光線力学治療用フィルターは、５−ＡＬＡまたはＲａｄａｃｈｌｏｒｉｎｅ薬品を使用するために、６３０〜６５０ｎｍのスペクトル範囲で高い光透過性を有することを特徴とする、請求項２または１６記載の蛍光診断および光線力学治療のための光源装置。
【発明の詳細な説明】
【技術分野】
【０００１】
本発明は、蛍光診断および光線力学治療のための光源装置に関し、更に詳しくは、皮膚診断および治療のための複合光源技術と関連して、皮膚疾患、特に、腫瘍診断の正確性を高め、光学治療の効率性を向上させる蛍光診断および光線力学治療のための光源装置に関する。
【背景技術】
【０００２】
光を使用した疾病診断および治療のために、一般的に知られているハロゲン、キセノン、金属ハロゲン化物、水銀などの多様な形態のランプの使用に基づいた光ファイバー光源が使用されてきた。
【０００３】
このようなランプの選択は、特殊な医療手段および技術的もしくは経済的な面を考慮した装備の製作要求などにより選択されていた。
【０００４】
しかし、広範囲であったり、選択的な波長帯を有する多様な光が要求される複合作業が必要となったりする場合、単一ランプは一般的に最適の方法を提供することができなかった。
【０００５】
この場合、装備開発者は特殊機能を有するランプに依存するか、同時に複数個のランプを使用することで短所を補完した。
【０００６】
特に、蛍光を使用した疾病診断において、励起光照射による、診断対象から発生する蛍光観察以外に、白色光による、診断部位の形状、位置および色などの観察もまた必須的であることが知られている。
【０００７】
診断部位で発生する蛍光を通して疾病を診断する装備を開発するために、研究者はこのような問題を各自の多様な方法により解決している。
【０００８】
例えば、Ｋａｒｌ  Ｓｔｏｒｚ  ＧｍｂＨ＆Ｃｏ．ＫＧ社（独）は自社製作した光源であるＤ−Ｌｉｇｈｔキセノンランプを使用する。
【０００９】
このようなランプは、可視光領域で明るい連続的なスペクトルを有すると、白色光での観察のための良い条件を提供する。
【００１０】
しかし、この場合は、３５０〜５５０ｎｍの短波長で蛍光観察するための励起エネルギーが損失してしまう。
【００１１】
一方、Ｘｉｌｌｉｘ  Ｔｅｃｈｎｏｌｏｇｉｅｓ社（カナダ）はＯｎｃｏ−ＬＩＦＥ装備で水銀ランプを使用する。これは、公知されている通り、他の光源より短波長範囲のスペクトルで、強い光線による励起光により診断部位から蛍光放出をすることが有利である。
【００１２】
しかし、このようなランプから放出される光の鮮やかな線スペクトルは、白色光条件で診断対象を正常に観察することを困難にする。
【００１３】
光線力学治療（ＰＤＴ）の遂行のために開発されたＬｕｍａＣａｒｅ社（米）の光源は、ハロゲンランプを使用する。
【００１４】
この場合、短波長範囲でのスペクトルの光強度が大きくないため、光学治療のための許容可能な十分な光強度を提供することができない。
【００１５】
このように、単一ランプを光源装置として適用する場合は、診断および治療のための多様な要求を満足させる最適条件を備えることが困難である。
【００１６】
一方、蛍光診断装備において照明の品質を向上させるために、大韓民国特許第１０−０４１１６３１号には２個のランプを使用する光源装置を開示している。
【００１７】
前述した光源装置は、白色光および蛍光での観察のために、ハロゲンランプと水銀ランプからなる２個のランプが設置されており、２個のランプからの照射光が、折りたたみ式ミラーに依存する光ガイドの入力面の端に入射される。
【００１８】
即ち、ミラーの位置によって、水銀ランプからの励起光またはハロゲンランプからの白色光が光ガイド入射面に照射される。
【００１９】
ところが、このような光源装置は、上記折りたたみ式ミラーの駆動部および制御ブロックを含むことによって光源装置の体積が大きくなり、駆動部で不必要な熱が発生するという短所がある。
【００２０】
更に、上記ミラーが正確な角度の位置に到達しない場合、ミラーにより反射される光量が少なくなるという短所がある。
【発明の開示】
【発明が解決しようとする課題】
【００２１】
従って、本発明は上記問題点を解決するために発明したものであり、本発明の目的は、診断部位での白色光の観察および蛍光診断のために、互いに異なる２つの光源から放射される光を結合または分離して、光ガイドに伝達するための手段として、固定された光経路結合手段を使用することで、従来の折りたたみ式ミラーとは異なり、診断過程での誤差を引き起こす要素を排除して、光源装置の作動信頼性を向上させるのはもちろん、構成を単純化させることにある。
【００２２】
本発明の別の目的は、診断部位を観察するための白色光条件で、互いに異なる２つの光源から放射される光を、光経路結合手段を通して合わせ、可視光領域で十分な光強度を提供して照明品質を向上させることにより、診断の正確性を高めると同時に、光学治療過程で短波長領域での光強度を増加させて治療効果を増加させる、光源装置を提供することにある。
【００２３】
また、本発明のまた別の目的は、白色光条件で、励起光条件または逆への条件変化のために構成された光モジュールの位置の変動なしに、スイッチ装置の作動のみを通して照明条件の変化が可能となるため、光源装置の作動信頼性を向上させる光源装置を提供することにある。
【課題を解決するための手段】
【００２４】
本発明は、互いに異なる波長範囲を有し、選択された光を提供する複数個の光源手段と、光源手段から照射される光を光ガイドの入射方向で結合させる光経路結合手段と、光経路結合手段と共に単一ケースに装着され、照射される光を波長によって選別して透過させる第１フィルタリング手段と、診断部位に光を伝達する光ガイドと、光源手段の光源種類を選択して光源装置の選択条件を変更し、リモートコントロール装置により遠距離制御が可能となるように設置された開閉手段であるスイッチ装置とを備える蛍光診断および光線力学治療のための光源装置を提供する。
【発明の効果】
【００２５】
前述した通り、本発明による蛍光診断および光線力学治療のための光源装置によると、互いに異なる波長範囲で主たる光を有する２つの光源から発生する光を結合する光経路結合手段である固定されたダイクロイックミラーを通して、白色光の照明品質を向上させることはもちろん、励起光条件でもダイクロイックミラーの位置の変化なしに励起光のみを透過させるスイッチ装置により光源装置の作動信頼性の向上を図ることができ、装置の構造の単純化を図ることができる。更に、光線力学治療（ＰＤＴ）過程で必要な短波長領域での照明強度の向上を図ることができるため、皮膚疾患の診断、特に、腫瘍診断の正確性を高め、光学治療の効率性を高める効果がある。
【発明を実施するための最良の形態】
【００２６】
以下、添付図面を参照しながら、本発明の構成について詳しく説明すると下記の通りである。
【００２７】
図１は本発明による蛍光診断および光線力学治療のための光源装置を表す構成図であり、図２〜図４は本発明による白色光条件、励起光条件および光線力学治療条件のために具現された光源装置を表す構成図であり、図５は本発明による各々の光源、ダイクロイックミラーおよびこのダイクロイックミラーにより合わせたランプの光スペクトル曲線を表すグラフである。
【００２８】
本発明による光源装置は、互いに異なる波長範囲を有する複数個の光源手段１０を含み、選択された光を提供する。この光源装置は、非コヒーレント（ｎｏｎ−ｃｏｈｅｒｅｎｔ）な光源手段１０を使用し、一般的な診断部位１を観察するために白色光を照射し、蛍光診断を行うために励起光を照射し、または光線力学治療（ＰＤＴ）を通した光学治療過程を行うために定められた光スペクトル領域で光を照射する。
【００２９】
ここで、選択された光源手段１０から照射される励起光は、スペクトルの短波長範囲で主たる光を有する励起光源１１で発生して照射され、上記白色光は、スペクトルの長波長範囲で主たる光を有する長波長光源１２と上記励起光源１１から放射される光を、光ガイド５０の入射方向で結合させる光経路結合手段２０である固定されたダイクロイックミラー２１を通して照射される。
【００３０】
上記励起光源１１と長波長光源１２から各々照射される入射光から放射される光の必要量によって、ダイクロイックミラー２１の入射面の角度を変化させることができる。一般的に、ダイクロイックミラー２１の入射面の角度を４５°とし、励起光源１１の励起光は、ダイクロイックミラー２１を透過して光ガイド５０を通って照射され、同時に、長波長光源１２の白色光は９０°で反射され、光ガイド５０を通って照射される。
【００３１】
ここで、互いに異なる２つの光源から生じる励起光のための励起光源１１は、水銀ランプを使用することができ、長波長範囲で主たる光を照射する長波長光源１２は、ハロゲンランプ、キセノンランプ、金属ハロゲン化物ランプ、または発光ダイオードであり得る。
【００３２】
一方、光源１１，１２から放射される光を集光し、光ガイド５０に光を集中させるために、楕円形の反射鏡を使用することができる。この反射鏡はダイクロイックコーティングがなされ、光源１１，１２から発生する好ましくない赤外線（ＩＲ）スペクトル部分の光を反射鏡背面に送ることができる。
【００３３】
その他に、反射鏡の代りに集光器を用いて、光を光ガイド５０に送ることができる。
【００３４】
また、光源１１，１２から放射される光を、コリメータ（ｃｏｌｌｉｍａｔｏｒ）を用いて平行な光線に変換させ、第１フィルタリング手段３０を通して光ガイド５０に送ることもできる。
【００３５】
この場合、ダイクロイックミラー２１と光ガイド５０との間に、平行な光線を集めて光ガイド５０に送る対物レンズを追加設置することができる。
【００３６】
このような光源装置の構造は一般的に考慮されるものであり、その構成により、集光器またはコリメータを追加または除去することができる。
【００３７】
皮膚疾患、特に、ニキビの進行状態を検査するために、励起光は３８０〜４６０ｎｍのスペクトル範囲を含まなければならなく、励起光による自己蛍光（ａｕｔｏｆｌｕｏｒｅｓｃｅｎｃｅ）は、その範囲を越える波長で観察される。
【００３８】
即ち、ニキビの原因微生物であるアクネ菌（Ｐ．ａｃｎｅｓ）が毛根内に存在する場合、アクネ菌により生産されるポルフィリンによりオレンジ−赤色蛍光（蛍光放射の最大値は６３５ｎｍ）が放射され、毛根内に蓄積されたアクネ菌の量が増加するほど放射される蛍光は赤色を帯びるようになる。
【００３９】
反面、抗バクテリア性薬品によりアクネ菌が死滅する場合、赤色蛍光の代りに毛根内に皮脂から発生する緑色蛍光（５１０〜５７０ｎｍ）のみが観察される。
【００４０】
これを通して、毛根内の皮脂の量、アクネ菌の有無、蓄積されたアクネ菌の量、ニキビの治癒状態などを容易に診断することができ、抗バクテリア性薬品の過用防止などの効果を提供する。
【００４１】
一方、皮膚の悪性腫瘍などの疾患部位に５−アミノレブリン酸（５−ＡＬＡ）などの造影剤を使用して誘導蛍光を観察する場合、励起光は３８０〜５６０ｎｍのスペクトル範囲でなければならず、蛍光は６００ｎｍ以上の波長を有することが一般的である。
【００４２】
しかし、使用される蛍光造影剤によってこのような波長範囲は異なり、それに合う波長範囲を有する多様なフィルターを含む適切な光学系が設置される。
【００４３】
その光学系には、各々のランプの前方に位置したダイクロイックミラー２１の周囲に光を波長によって選別して透過させる第１フィルタリング手段３０が具備されており、前記第１フィルタリング手段３０とダイクロイックミラー２１は一定空間を有する単一ケース６０に装着されており、更に、励起光源１１とダイクロイックミラー２１との間に設置され、特定波長帯、即ち、蛍光放射のみを透過する励起フィルター３１と、励起光の経路に位置する光学素子を輻射熱による破壊から防止するために前記励起フィルター３１の前方に設置される熱防止フィルター３２とが具備される。
【００４４】
ここで、ダイクロイックミラー２１が励起光源１１から放出される光から選択された励起光波長帯のみを通過させることができれば、励起フィルター３１が不必要となり得る。
【００４５】
光経路結合手段２０として使用されたダイクロイックミラー２１は短波長範囲で高い光透過率を有し、長波長範囲では低い光透過率を有しているため、励起光源１１の励起光は透過させ、長波長光源１２の光は反射させる。
【００４６】
ダイクロイックミラー２１は、励起光源１１の短波長のスペクトル範囲では透過特性を見せ、それ以上の長波長では反射特性を見せることが好ましい。
【００４７】
近赤外線遮蔽フィルター３３は、長波長光源１２とダイクロイックミラー２１との間に設置され、テレビカメラに近赤外線放射光が投入されるのを遮断する。
【００４８】
この時、近赤外線遮蔽フィルター３３は近赤外線放出光を遮断するために、７４０ｎｍ以上の光を遮蔽する。
【００４９】
図２は本発明の実施形態による診断部位１の観察のために、白色光条件下にある光源装置を表す構成図である。
【００５０】
白色光条件でダイクロイックミラー２１は、前記励起光源１１の励起光を透過させると同時に、前記長波長光源１２の光は反射させ、光ガイド５０の入射面で合わせて入射される。
【００５１】
この場合、診断部位１を観察するための可視光スペクトル領域で単一光源を使用するとき、より均一で高い出力強度の光をもって、診断部位１を観察することができるようになる。
【００５２】
例えば、図５に図示された各光源による光スペクトル曲線で、励起光源１１である水銀ランプから放射された励起光は、４５０ｎｍまで光透過特性の良いダイクロイックミラー２１を通して透過され、４５０ｎｍ以上、更に好ましくは、６００ｎｍ以上の赤色波長範囲で一定強度を示す長波長光源１２であるハロゲンランプから放射された光は、４５０ｎｍ以上の波長に対して反射特性が良いダイクロイックミラー２１で反射される。
【００５３】
図５に図示されるように、４５０ｎｍ以下で透過された励起光と４５０ｎｍ以上で反射された光は、ダイクロイックミラー２１を通過して合わせ、可視光領域でより高品質の光を提供する。
【００５４】
即ち、従来の白色光源としてハロゲンランプのみを使用する場合に比べ、短波長スペクトル領域で補強された白色光を提供するため、診断部位１を更に観察することができるように照明品質を改善することができる。
【００５５】
図３は、本発明の実施形態による診断部位１の蛍光観察のために、励起光条件下の光源装置を表す構成図である。
【００５６】
蛍光観察のための励起光を前記診断部位１に照射する場合、前記光源手段１０にて光源種類を選択することによって光源装置の選択条件を変更する開閉手段４０であるスイッチ装置４１のスイッチ操作により、長波長光源１２の作動が停止する。この時、励起光源１１から放射される光のみが励起フィルター３１と熱防止フィルター３２を過ぎてダイクロイックミラー２１を透過し、光ガイド５０を経て診断部位１に励起光を照射する。
【００５７】
ダイクロイックミラー２１が励起光源１１から放射される光から選択された励起光の波長帯のみを通過させることができれば、励起フィルター３１が不必要となり得る。
【００５８】
ここで、スイッチ装置４１のスイッチ操作のみで、白色光条件から励起光条件またはその反対条件に変換される。
【００５９】
スイッチ装置４１は、リモートコントロール装置４２により遠距離制御が可能となるように設置される。
【００６０】
従って、本発明は励起光条件を白色光条件および反対条件に転換するとき、機械的に作動される従来の折りたたみ式ミラーを排除し、固定されたダイクロイックミラーを採択することで、光源装置の構造が簡略化し、駆動装置の作動による不必要な熱の発生を防止する。更に、本発明は、折りたたみ式ミラーの光照射角度が持続的な使用により一定に維持されないため、ミラーから反射される白色光の光量が少なくなることを防止することができる。
【００６１】
図４は本発明の別の実施形態による診断部位１の治療のために光線力学治療（ＰＤＴ）条件下にある光源装置を表す構成図である。
【００６２】
光線力学治療条件下で、本発明の光源装置は、長波長光源１２の単一光ではなく励起光源１１と長波長光源１２の結合光を照射するため、可視光の短波長範囲で本質的に補強された出力強度を提供することができる。
【００６３】
光線力学治療のために診断部位１に照射される波長範囲は、疾病の種類、進行状態または使用される造影剤などにより異なる。
【００６４】
例えば、ニキビの治療のために使用される光は、ニキビの進行程度、治療のための皮膚浸透深さなどにより３８０〜６６０ｎｍ付近の光を使用する。
【００６５】
造影剤５−ＡＬＡを使用する場合は６３０ｎｍ付近の光を使用し、Ｒａｄａｃｈｌｏｒｉｎｅ薬品を使用する場合は６５０ｎｍ付近の光を使用する。
【００６６】
従って、使用される造影剤により光線力学治療のために使用される光の波長範囲は異なり得る。
【００６７】
光線力学治療の目的により選択された光を診断部位１に照射する場合、励起光源１１および長波長光源１２から放射される光を光経路結合手段２０であるダイクロイックミラー２１で合わせ、合わせた光は前記ダイクロイックミラー２１と光ガイド５０との間に配置された第２フィルタリング手段３５である光線力学治療用フィルター３６を通して光線力学治療のための波長が選択される。
【００６８】
この時、前記光線力学治療用フィルター３６は回転するディスク装置７０に具備されたプラットホームで交換されるように設置される。
【図面の簡単な説明】
【００６９】
【図１】本発明による蛍光診断および光線力学治療のための光源装置を表す構成図である。
【図２】本発明による白色光条件での光源装置を表す構成図である。
【図３】本発明による励起光条件での光源装置を表す構成図である。
【図４】本発明による光線力学治療条件での光源装置を表す構成図である。
【図５】各々の光源、ダイクロイックミラー、およびダイクロイックミラーにより合わせたランプの光スペクトル曲線を表すグラフである。
【符号の説明】
【００７０】
１…診断部位、１０…光源手段、１１…励起光源、１２…長波長光源、２０…光経路結合手段、２１…ダイクロイックミラー、３０…第１フィルタリング手段、３１…励起フィルター、３２…熱防止フィルター、３３…近赤外線遮蔽フィルター、３５…第２フィルタリング手段、３６…光線力学治療用フィルター、４０…開閉手段、４１…スイッチ装置、４２…リモートコントロール装置、５０…光ガイド、６０…単一ケース、７０…ディスク装置
【図１】
2009513230.tif 000003
【図２】
2009513230.tif 000004
【図３】
2009513230.tif 000005
【図４】
2009513230.tif 000006
【図５】
2009513230.tif 000007
【国際調査報告】
2009513230.tif 000008
2009513230.tif 000009